(57)【要約】      （修正有）【課題】携帯電話、及び携帯情報端末（ＰＤＡ）などの携帯型電子装置の入力ペンにおいて、多機能の入力ペンを提供する。【解決手段】入力ペン１０は、筆軸１１と、前記筆軸の一端に設けられたペン先１１１と、前記筆軸１１の他端に設けられたねじ回し部１１３と、少なくとも一つの刀型壁１３７１を有する分解用具１３と、前記分解用具１３と前記筆軸１１とを回転可能に連接する回転軸１５と、を備える。【選択図】図２
2011096218.tif 000002
【特許請求の範囲】
【請求項１】
筆軸と、
前記筆軸の一端に設けられたペン先と、
前記筆軸の他端に設けられたねじ回し部と、
少なくとも一つの刀型壁を有する分解用具と、
前記分解用具と前記筆軸とを回転可能に連接する回転軸と、
を備えることを特徴とする入力ペン。
【請求項２】
前記分解用具が筒状体であって、その筒内直径が前記筆軸の直径より大きいことを特徴とする請求項１に記載の入力ペン。
【請求項３】
前記分解用具の一端には、該分解用具の軸方向に沿って開き口が開設され、該開き口の両側には、前記刀型壁が形成されることを特徴とする請求項２に記載の入力ペン。
【請求項４】
前記筆軸の径方向に沿って貫通孔が開設され、
前記回転軸は、前記筆軸の前記貫通孔を貫き、その両端が前記筆軸の両側から突出することを特徴とする請求項３に記載の入力ペン。
【請求項５】
前記分解用具の他端には、それぞれ貫通孔を有する２つの延伸壁が離間されて上下に形成され、前記回転軸の前記筆軸から突出する両端がそれぞれ前記２つの延伸壁の前記貫通孔内に保持されることを特徴とする請求項４に記載の入力ペン。
【請求項６】
前記分解用具の前記２つの延伸壁の間には、前記筆軸の前記ねじ回し部を有する一端を収納するための収容部が形成されることを特徴とする請求項５に記載の入力ペン。
【発明の詳細な説明】
【技術分野】
【０００１】
本発明は、入力ペン、特に多機能を有する入力ペンに関するものである。
【背景技術】
【０００２】
現在、広く使用されている携帯電話、及び携帯情報端末（ＰＤＡ）などの携帯型電子装置は、ほとんど入力ペンによるタッチ機能を実現する。しかし、ただ入力又はクリックだけの機能を有する入力ペンは、消費者の多様なニーズに満たさない。例えば、携帯型電子装置のスピーカー又はレシーバーの網カバーを清掃する又はメンテナンスする場合、ねじ回しを使用して携帯型電子装置の蓋体を開ける場合、専用の分解用具を必要とする。
【発明の概要】
【発明が解決しようとする課題】
【０００３】
以上の問題点に鑑みて、本発明は、多機能を有する入力ペンを提供することを目的とする。
【課題を解決するための手段】
【０００４】
前記問題を解決するために、本発明に係る入力ペンは、筆軸と、前記筆軸の一端に設けられたペン先と、前記筆軸の他端に設けられたねじ回し部と、少なくとも一つの刀型壁を有する分解用具と、前記分解用具と前記筆軸とを回転可能に連接する回転軸と、を備える。
【発明の効果】
【０００５】
本発明に係る入力ペンにおいて、前記筆軸の一端にねじ回し部と分解用具とが設けられるので、前記入力ペンがねじ回し又は分解用具として多用途に使用できる。
【図面の簡単な説明】
【０００６】
【図１】本発明の実施形態における入力ペンの分解図である。
【図２】図１に示す入力ペンの組立図である。
【図３】本発明の入力ペンを分解用具として使用する状態を示す図である。
【図４】図３に示す領域ＶＩの拡大図である。
【発明を実施するための形態】
【０００７】
以下、図面を参照しながら、本発明の実施形態に係る入力ペンに対して詳細に説明する。
【０００８】
図１及び図３に示したように、本発明の実施形態に係る入力ペン１０は、タッチスクリーンを備える携帯電話３０と組み合わせて使用される。前記入力ペン１０は、筆軸１１と、分解用具１３と、回転軸１５と、を備える。前記筆軸１１と前記分解用具１３とは、前記回転軸１５を介して活動可能に連接する。前記携帯電話３０は、機体３１と、前記機体３１に係合された蓋体３３と、を備える。
【０００９】
図１及び図２に示したように、前記筆軸１１の一端には、タッチ機能を実現するペン先１１１が設けられており、前記筆軸１１の他端には、十字形、一字形、六角形、又は星形を呈するねじ回し部１１３が設けられている。本実施形態において、前記ねじ回し部１１３は、十字形である。前記筆軸１１には、前記ねじ回し部１１３に近接して前記筆軸１１を横方向に貫通する貫通孔１１５が開設される。前記貫通孔１１５は、前記回転軸１５を前記筆軸１１に装着するために用いられる。
【００１０】
前記分解用具１３は、ステンレス材料で製作される筒状体であり、その筒内直径が前記筆軸１１の横断面の直径よりやや大きい。前記分解用具１３の一端には、該分解用具１３の軸方向に沿って２つの開口１３１が対称的に開設されている。前記分解用具１３の前記開口１３１の両側には、２つの延伸壁１３３が離間されて上下に形成されている。各々の延伸壁１３３の端部の近傍には、貫通孔１３３１が開設されている。前記延伸壁１３３の長さは、前記貫通孔１１５から前記ねじ回し部１１３までの距離よりやや長い。前記２つの延伸壁１３３の間には、前記ねじ回し部１１３を収納するための収容部１３５が形成される。
【００１１】
前記分解用具１３の前記開口１３１に相対する他端には、該分解用具１３の軸方向に沿って開き口１３７が設けられている。前記開き口１３７の両側には、それぞれ刀型壁１３７１が形成されている。各々の刀型壁１３７１の端縁は、より薄い刃である。前記入力ペン１０を用いて前記携帯電話３０の蓋体３３を開く場合、前記刀型壁１３７１を前記蓋体３３と前記機体３１との間の間隙に挿入して、前記蓋体３３を開く。
【００１２】
前記回転軸１５は、柱状体であり、前記貫通孔１１５を貫き、その両端が前記筆軸１１の両側から突出して別々に前記分解用具１３の２つの貫通孔１３３１に固定される。それによって、前記回転軸１５は、前記分解用具１３と連接する。前記回転軸１５の直径が前記貫通孔１１５の直径よりやや小さいので、前記回転軸１５は、前記貫通孔１１５内で自由に回転することができる。しかも、前記回転軸１５の両端の直径が前記貫通孔１３３１の直径よりやや大きいから、前記回転軸１５の両端を前記２つの貫通孔１３３１内に挿入することによって、前記回転軸１５が前記貫通孔１３３１にしっかりと保持される。前記分解用具１３は、前記回転軸１５とともに前記筆軸１１に対して相対的に回転する。
【００１３】
図２に示すように、前記入力ペン１０で携帯電話３０に入力する時に、前記筆軸１１と前記分解用具１３とは、同一直線上に位置する。
【００１４】
図３及び図４に示すように、前記入力ペン１０を使用して前記携帯電話３０の蓋体３３を開く場合、前記回転軸１５を円心として、前記筆軸１１又は前記分解用具１３を９０°回転させて両者を直交させる。それから、前記刀型壁１３７１を前記蓋体３３と前記機体３１との間の間隙内に挿入して、前記筆軸１１を受力レバーとして回転することによって、前記蓋体３３が開かれる。また、前記ねじ回し部１１３でねじ（図示せず）を開く場合、前記ねじ回し部１１３を前記ねじの凹部内に挿入してから、前記ねじ回し部１１３を受力レバーとして回転することによって、前記ねじが開かれる。
【００１５】
本発明の入力ペン１０において、前記筆軸１１の一端にねじ回し部１１３と分解用具１３とを設けることにより、前記入力ペン１０をねじ回し又は分解用具として多用途に使用することができる。
【００１６】
以上、本発明の好適な実施形態について詳細に説明したが、本発明は前記実施形態に限定されるものではなく、本発明の範囲内で種々の変形又は改良が可能であり、該変形又は改良修正も本発明の特許請求の範囲内に含まれるものであることは、いうまでもない。
【符号の説明】
【００１７】
１０      入力ペン
１１      筆軸
１３      分解用具
１５      回転軸
３０      携帯電話
３１      機体
３３      蓋体
１１１    ペン先
１１３    ねじ回し部
１１５    貫通孔
１３１    開口
１３３    延伸壁
１３５    収容部
１３７    開き口
１３３１  貫通孔
１３７１  刀型壁
【図１】
2011096218.tif 000003
【図２】
2011096218.tif 000004
【図３】
2011096218.tif 000005
【図４】
2011096218.tif 000006